(57)【要約】【課題】ユーザの好みを反映させた推奨設定温度を表示可能な空気調和機を提供すること。【解決手段】室内温度センサ、湿度センサ、メモリ部及び室内機制御部を具備した室内機と、室外温度センサを具備した室外機と、室内機との間で運転信号の送受信を行うリモコン装置とを有し、リモコン装置からの指示又は室内機制御部における演算に基づいて設定される運転目標としての設定温度をメモリ部に記憶しており、この設定温度に基づいて運転を行う空気調和機において、リモコンから設定温度の変更の指示を受けた場合、センサからの検出データ、設定温度を含む各種パラメータをユーザ履歴情報としてメモリ部に記憶し、各種パラメータに変化があった場合に、記憶されているユーザ履歴情報を参照して、一致又は近似のユーザ履歴情報が存在したときは、当該ユーザ履歴情報における設定温度を推奨設定温度として表示部に対して表示する。【選択図】図１
2015031473.tif 000002
【特許請求の範囲】
【請求項１】
室内温度センサ、湿度センサ、メモリ部及び室内機制御部を具備した室内機と、室外温度センサを具備した室外機と、前記室内機との間で運転信号の送受信を行うリモコン装置とを有し、前記リモコン装置からの指示又は前記室内機制御部における演算に基づいて設定される運転目標としての設定温度を前記メモリ部に記憶しており、この設定温度に基づいて運転を行う空気調和機において、
リモコンから設定温度の変更の指示を受けた場合、前記センサからの検出データ、設定温度を含む各種パラメータをユーザ履歴情報として前記メモリ部に記憶し、
各種パラメータに変化があった場合に、記憶されている前記ユーザ履歴情報を参照して、一致又は近似のユーザ履歴情報が存在したときは、当該ユーザ履歴情報における設定温度を推奨設定温度として前記室内機及び／又はリモコン装置に設けられた表示部に対して表示するようにしたことを特徴とする空気調和機。
【請求項２】
前記ユーザ履歴情報は、登録した複数のユーザについてユーザごとに記憶してなり、設定温度を変更したユーザごとに個別の推奨設定温度を表示するようにしたことを特徴とする請求項１記載の空気調和機。
【請求項３】
前記ユーザ履歴情報を参照して、一致又は近似の履歴が複数存在したときは、日時の近いユーザ履歴情報に基づく推奨設定温度を表示するようにしたことを特徴とする請求項１又は２記載の空気調和機。
【発明の詳細な説明】
【技術分野】
【０００１】
本発明は、空気調和機に関するものであり、ユーザが過去に選択した設定温度の記録からユーザの好みの設定温度を推奨設定温度として表示する技術に関するものである。
【背景技術】
【０００２】
空気調和機を使用する場合、ユーザは自分の好みの設定温度に設定して使用する。この設定温度は、室外温度、室内温度、湿度等の様々な条件によって変化するものである。例えば、冬季の暖房運転時には設定温度＝２０℃で使用していた場合において、春になると共に気温が上がって（体感温度が変化して）くるが、まだ肌寒く暖房運転を行いたいと感じたときに、ユーザが設定温度＝２２℃に再設定して使用することがあった。
同様に、夏季の冷房運転時には設定温度＝２８℃で使用していた場合において、秋になると共に気温が下がって（体感温度が変化して）くるが、まだ蒸し暑く冷房運転を行いたいと感じたときに、ユーザが設定温度＝２６℃に再設定して使用することがあった。
【０００３】
また、暖房運転時及び冷房運転時の何れの場合においても、日時毎に外気温が変動する様な天候の場合、室内の空調環境も変わってくることから、ユーザが室温の空調環境の快適性を判断しながら、変化に応じた設定温度の見直しをその都度行っていた。
【０００４】
このような空調環境条件の変化に対して、室外温度、室内温度、湿度等に基づいて、推奨設定温度を提示する技術が既に提案されている。例えば、特許文献１に記載の空気調和機は、温度センサで検出された室内温度と室外温度とから推奨設定温度を算出して表示する場合に、推奨設定温度に対する設定温度の乖離度（差）が一目でわかる表示部を設けて構成している。
【特許文献１】特開２００４−２１２０１７号公報
【発明の開示】
【発明が解決しようとする課題】
【０００５】
前記特許文献１に記載の空気調和機では、室外温度、室内温度、湿度等に基づいて推奨設定温度を表示可能であるが、パラメータから画一的に選択される推奨設定温度であるため、その温度がユーザの好みに合っているとは限らないという問題がある。また、空気調和機は設定温度を変更しても室温が設定温度に到達するまでに時間がかかり、室温が設定温度に到達し、その室温がユーザの好みでなければ設定温度を変更することになり、場合によっては、複数回繰り返すことになる。更に、空気調和機を使用する複数のユーザが存在する場合、ユーザごとに好みの温度は異なるという問題がある。
【０００６】
本発明は、上記問題点に鑑みなされたものであり、ユーザの好みを反映させた推奨設定温度を表示可能な空気調和機を提供することを目的とするものである。
【課題を解決するための手段】
【０００７】
本発明の請求項１は、室内温度センサ、湿度センサ、メモリ部及び室内機制御部を具備した室内機と、室外温度センサを具備した室外機と、前記室内機との間で運転信号の送受信を行うリモコン装置とを有し、前記リモコン装置からの指示又は前記室内機制御部における演算に基づいて設定される運転目標としての設定温度を前記メモリ部に記憶しており、この設定温度に基づいて運転を行う空気調和機において、リモコンから設定温度の変更の指示を受けた場合、前記センサからの検出データ、設定温度を含む各種パラメータをユーザ履歴情報として前記メモリ部に記憶し、各種パラメータに変化があった場合に、記憶されている前記ユーザ履歴情報を参照して、一致又は近似のユーザ履歴情報が存在したときは、当該ユーザ履歴情報における設定温度を推奨設定温度として前記室内機及び／又はリモコン装置に設けられた表示部に対して表示するようにしたことを特徴とする空気調和機である。
【０００８】
本発明の請求項２は、請求項１に加えて、前記ユーザ履歴情報は、登録した複数のユーザについてユーザごとに記憶してなり、設定温度を変更したユーザごとに個別の推奨設定温度を表示するようにしたことを特徴とする空気調和機である。
【０００９】
本発明の請求項３は、請求項１又は２に加えて、前記ユーザ履歴情報を参照して、一致又は近似の履歴が複数存在したときは、日時の近いユーザ履歴情報に基づく推奨設定温度を表示するようにしたことを特徴とする空気調和機である。
【発明の効果】
【００１０】
請求項１記載の発明によれば、リモコンから設定温度の変更の指示を受けた場合、前記センサからの検出データ、設定温度を含む各種パラメータをユーザ履歴情報として前記メモリ部に記憶し、各種パラメータに変化があった場合に、記憶されている前記ユーザ履歴情報を参照して、一致又は近似のユーザ履歴情報が存在したときは、当該ユーザ履歴情報における設定温度を推奨設定温度として前記室内機及び／又はリモコン装置に設けられた表示部に対して表示するようにしたので、ユーザの好みを反映させた推奨設定温度を表示することが可能となる。
【００１１】
請求項２記載の発明によれば、前記ユーザ履歴情報は、登録した複数のユーザについてユーザごとに記憶してなり、設定温度を変更したユーザごとに個別の推奨設定温度を表示するようにしたので、同じ室内機を操作するユーザが複数いる場合においても、それぞれのユーザの好みを反映させた推奨設定温度を表示することが可能となる。
【００１２】
請求項３記載の発明によれば、前記ユーザ履歴情報を参照して、一致又は近似の履歴が複数存在したときは、日時の近いユーザ履歴情報に基づく推奨設定温度を表示するようにしたので、季節に合わせてより最適な推奨設定温度を表示することが可能となる。
【図面の簡単な説明】
【００１３】
【図１】本発明による空気調和機１０の構成を表したブロック図である。
【図２】本発明の空気調和機１０における推奨設定温度の表示の処理の流れを表したフローチャートである。
【図３】ユーザ履歴情報の一例を表した表である。
【図４】リモコン表示部２８の一例を表した説明図である。
【図５】ユーザ表示部３１を設けた場合のリモコン表示部２８の一例を表した説明図である。
【発明を実施するための形態】
【００１４】
本発明による空気調和機は、室内温度センサ、湿度センサ、メモリ部及び室内機制御部を具備した室内機と、室外温度センサを具備した室外機と、前記室内機との間で運転信号の送受信を行うリモコン装置とを有し、前記リモコン装置からの指示又は前記室内機制御部における演算に基づいて設定される運転目標としての設定温度を前記メモリ部に記憶しており、この設定温度に基づいて運転を行う空気調和機において、リモコンから設定温度の変更の指示を受けた場合、前記センサからの検出データ、設定温度を含む各種パラメータをユーザ履歴情報として前記メモリ部に記憶し、各種パラメータに変化があった場合に、記憶されている前記ユーザ履歴情報を参照して、一致又は近似のユーザ履歴情報が存在したときは、当該ユーザ履歴情報における設定温度を推奨設定温度として前記室内機及び／又はリモコン装置に設けられた表示部に対して表示するようにしたことを特徴とするものである。以下、詳細に説明を行う。
【実施例１】
【００１５】
本発明の実施の形態を図面に基づいて説明する。図１に示すのは、本発明による空気調和機１０の構成を表したブロック図であり、室内機１１、室外機１２、及び、リモコン装置１３で構成されている。
【００１６】
前記室内機１１は、室内機の制御を行うための室内機制御部１４と、室内機が設置された部屋の温度を検出するための室内温度センサ１５と、室内機が設置された部屋の湿度を検出するための湿度センサ１６と、各種表示を行うための表示部１７と、室内に吹き出す空気の風向を変更するためのステッピングモータ１８と、室内の空気を吸い込み室内熱交換器で熱交換した後に再び室内に吹き出すための図示しない室内ファンを回転させる室内ファンモータ１９と、各種情報を記憶させておくためのメモリ部２０と、リモコン装置との間で無線により運転信号の送受信を行うためのリモコン信号送受信部２１とを具備している。
【００１７】
前記室外機１２は、室外機の制御を行うための室外機制御部２２と、室外機の設置された屋外の温度を検出するための室外温度センサ２３と、室外熱交換器に空気を流通させるための室外ファンモータ２４と、冷媒を圧縮するためのコンプレッサ２５とを具備している。
【００１８】
前記リモコン装置１３は、各種の制御を行うためのリモコン制御部２６と、室内機との間で運転指示または運転情報等の運転信号の無線通信を担う送受信部２７と、操作項目等を表示するためのリモコン表示部２８とを具備している。
【００１９】
本発明による空気調和機１０は、特許文献１記載の空気調和機と同様に、検出された室内温度、室外温度、湿度等のパラメータから推奨設定温度を算出する機能を有しているが、この機能とは別に、ユーザが過去に設定温度を変更した場合にその変更履歴を記憶しておくことで、ユーザ履歴情報に基づいてユーザの好みに合致した設定温度を推奨設定温度として表示する機能を持たせたことを特徴とするものである。
【００２０】
図２に示すのは、本発明の空気調和機１０における推奨設定温度の表示の流れを表したフローチャートである。このフローチャートに基づく制御は、室内機制御部１４において処理される。この図２において、空気調和機１０を起動する場合には、先ず、初期設定が行なわれる（Ｓ２０１）。次に、室内温度センサ１５、湿度センサ１６、室外温度センサ２３及びメモリ部２０からそれぞれ、（ａ）室内温度検出データ、（ｂ）湿度検出データ、（ｃ）室外温度検出データ及び（ｄ）現在の設定温度の情報を取得する。空気調和機１０の運転目標としての設定温度を定める必要があるが、メモリ部２０に記憶された前回運転時の設定温度を読み出して利用する。また、運転モードが「自動」になっている場合には、各種データを利用した前記室内機制御部１４における演算に基づく設定温度を用いる。
【００２１】
次に、運転開始直後であるか否かを判定する（Ｓ２０３）。運転開始直後であることを判定する一例としては、例えば、前記（Ｓ２０２）のステップでのデータ取得が初回であった場合が挙げられる。運転開始直後と判定された場合には（Ｓ２０３−Ｙｅｓ）、（Ｓ２０５）のステップへ移行する。運転開始直後ではないと判定された場合には（Ｓ２０３−Ｎｏ）、（Ｓ２０４）のステップへ移行する。
【００２２】
（Ｓ２０４）のステップでは、前記（Ｓ２０２）のステップで取得した（ａ）〜（ｃ）のデータについて前回のデータ取得時と比較して変更があったか否かを判定する（Ｓ２０４）。変更がなかった場合には（Ｓ２０４−Ｎｏ）、（Ｓ２０２）のステップに移行して再度のデータ取得を行う（Ｓ２０２）。前回のデータ取得時と比較して変更があった場合には（Ｓ２０４−Ｙｅｓ）、（Ｓ２０５）のステップへ移行する。
【００２３】
（Ｓ２０５）のステップでは、ユーザ履歴情報をメモリ部２０から読み込む（Ｓ２０５）。ここで、ユーザ履歴情報とは、過去にユーザが設定温度を変更したときの（ａ）室内温度検出データ、（ｂ）湿度検出データ、（ｃ）室外温度検出データ及び（ｄ）設定温度を記憶させたものであり、図３に示すようなデータテーブルとして記憶されている。図３に示している内容以外にも、ユーザ履歴情報を記憶した日時の情報も合わせて記憶している。一度設定温度を変更した後でさらに設定温度を変更した場合であっても、その設定温度変更時の（ａ）〜（ｃ）のデータに対する設定温度がユーザ履歴情報として記憶される。
【００２４】
ここで、現在の（ａ）〜（ｃ）の条件とユーザ履歴情報を比較して一致するユーザ履歴が存在するかを判定する（Ｓ２０６）。例えば、現在の室外温度が３６℃、室内温度が３３℃、湿度が７５％である場合に図３のユーザ履歴情報を参照すると、（ロ）のユーザ履歴と一致する。このとき、パラメータ条件から室内機制御部１４において自動的に選択される設定温度は２９℃であるが、過去にユーザが同条件で選択した設定温度は２８℃であったことが分かる。このように、条件に一致するユーザ履歴が存在する場合には（Ｓ２０６−Ｙｅｓ）、当該ユーザ履歴情報における設定温度を推奨設定温度として選択する（Ｓ２０７）。条件に一致するユーザ履歴が存在しなかった場合には（Ｓ２０６−Ｎｏ）、パラメータ条件から室内機制御部１４において自動的に選択される設定温度を推奨設定温度として選択する（Ｓ２０８）。
【００２５】
推奨設定温度が決定すると、リモコン装置１３のリモコン表示部２８、若しくは、室内機１１の表示部１７に対して、選択した推奨設定温度を表示する（Ｓ２０９）。図３のユーザ履歴情報の（ロ）と条件が一致した場合のリモコン表示部２８への表示の一例としては、例えば、図４に示す表示が考えられる。
【００２６】
また、（Ｓ２０２）において取得した設定温度のデータについて、前回にデータ取得した時と比較して設定温度のデータに変更があったか否かを判定する（Ｓ２１０）。設定温度に変更があった場合には（Ｓ２１０−Ｙｅｓ）、変更後の設定温度をユーザ履歴情報としてメモリ部２０に記憶する（Ｓ２１１）。ユーザ履歴情報を記憶した場合、若しくは、設定温度に変更が無かった場合には（Ｓ２１０−Ｎｏ）、その後、各種データの取得に再度移行する（Ｓ２０２）。
【００２７】
以上のように、（ａ）室内温度検出データ、（ｂ）湿度検出データ、（ｃ）室外温度検出データなどの現在の状況に関する情報を取得して、この取得した情報の条件に一致するユーザ履歴情報が存在するかを判定して、ユーザ履歴情報が存在する場合には過去にユーザが選択した設定温度を推奨設定温度として表示するようにする。これにより、ユーザの好みを反映させた推奨設定温度を表示することが可能となる。
【００２８】
また、現在の室外温度、室内温度、湿度で過去にユーザが変更した最後の設定温度を推奨設定として表示するので、ユーザは、設定温度を変更する際に、表示された推奨温度に合わせて変更することで、一度の変更でユーザ好みの快適な状況が得られる。従来は、設定温度を複数回変更してようやく好みの温度に到達したという状況では操作の煩わしさを伴っていたが、ユーザごとの好みの設定温度に一度の操作で到達することができるので、操作の煩雑さも軽減される。
【実施例２】
【００２９】
前記実施例１においては、室内機１１に対して１つのユーザ履歴情報を記憶するものとして説明したが、同じ室内機１１を操作するユーザが複数いる場合には、ユーザごとに設定温度の好みが異なるため、ユーザ履歴情報に基づく推奨設定温度がそのユーザにとって最適ではないという事態が生じるおそれがある。
【００３０】
そこで、当該室内機１１を使用する可能性のあるユーザを事前に登録しておき、ユーザごとにユーザ履歴情報を記憶する。具体的には、リモコン装置１３にユーザ切替ボタン等のユーザ切替手段を設ける。このとき、図５に示すように、リモコン表示部２８に設けられたユーザ表示部３１に現在設定されているユーザが表示されるようにする。この表示を参考として、設定温度を変更する際に、ユーザ設定を自身のものに切替えた後に設定温度を変更するようにすることで、ユーザごとにユーザ履歴情報を記憶するようにする。ユーザ単位でユーザ履歴情報を管理して、リモコン装置１３の操作によって選択されているユーザについての推奨設定温度をリモコン表示部２８に表示するようにする。
【００３１】
このように、ユーザごとにユーザ履歴情報を記憶するようにすることで、同じ室内機１１を操作するユーザが複数いる場合においても、それぞれのユーザの好みを反映させた推奨設定温度を表示することが可能となる。
【００３２】
前記実施例１及び２においては、図３に示すように、ユーザ履歴情報として、室外温度、室内温度、湿度、及び、ユーザが選択した設定温度を記憶しておき、室外温度、室内温度、湿度の条件が一致した場合に、ユーザが選択した設定温度を推奨設定温度として表示するものとしていたが、本発明はこれに限定されるものではない。
【００３３】
例えば、特定の１つの条件のみで一致するユーザ履歴情報が存在するかを判定するようにしてもよいし、２つの条件に基づく判定であってもよい。また、該当するユーザ履歴情報が複数存在する場合に、季節に合わせてより最適な推奨設定温度を選択するために、現在の日付とユーザ履歴情報が登録された日付とが近いものを選択するようにしたり、夏場の冷房運転時には湿度のパラメータを重視するなど季節に応じてパラメータの重み付けを変更するようにしたりしてもよい。
【００３４】
また、条件が完全に一致した場合のみに限らず、例えば、室内温度が前後１℃の範囲にあるユーザ履歴情報、湿度が前後５％の範囲にあるユーザ履歴情報など、一定の範囲にあるものを近似するユーザ履歴情報として抽出して推奨設定温度として表示するようにしてもよい。
【符号の説明】
【００３５】
１０…空気調和機、１１…室内機、１２…室外機、１３…リモコン装置、１４…室内機制御部、１５…室内温度センサ、１６…湿度センサ、１７…表示部、１８…ステッピングモータ、１９…室内ファンモータ、２０…メモリ部、２１…リモコン信号送受信部、２２…室外機制御部、２３…室外温度センサ、２４…室外ファンモータ、２５…コンプレッサ、２６…リモコン制御部、２７…送受信部、２８…リモコン表示部、２９…現在の設定温度表示部、３０…推奨設定温度表示部、３１…ユーザ表示部。
【図１】
2015031473.tif 000003
【図２】
2015031473.tif 000004
【図３】
2015031473.tif 000005
【図４】
2015031473.tif 000006
【図５】
2015031473.tif 000007